(57)【特許請求の範囲】
【請求項１】
光ファイバケーブルの分岐部に用いられるクロージャにおける分岐ケーブルの保持構造であって、
本線の光ファイバケーブルを保持する本線保持部と、
分岐される分岐光ファイバケーブルを保持する分岐保持部と、
前記光ファイバケーブルの接続部を収納可能な光ファイバトレイと、
前記光ファイバトレイ、前記本線保持部および前記分岐保持部を覆うカバーと、
を具備し、
前記分岐保持部は、互いに略平行な少なくとも一対の腕部と、前記腕部の一部に互いの対向方向に向かって形成される突起部とを有し、
前記突起部は、前記腕部の先端から前記腕部の基部方向に所定長さ形成され、前記分岐光ファイバケーブルが、前記腕部の間に押し込まれており、
一対の前記突起部の間隔は、前記分岐光ファイバケーブルの外径よりも小さく、かつ、前記分岐光ファイバケーブルの外径からシース厚の２倍の値を引いた前記分岐光ファイバケーブルの心線径よりも大きく、
前記分岐光ファイバケーブルを前記腕部の基部まで完全に挿入した状態において、前記突起部の下部が前記分岐光ファイバケーブルのシースに食い込むことを特徴とする分岐ケーブルの保持構造。
【請求項２】
前記突起部は、前記腕部の先端に向かって対向する突起部同士の間隔が広がるようなテーパ形状であり、前記突起部の互いの対向方向の先端は、先端角度が３０〜６０°の先細り形状であることを特徴とする請求項１記載の分岐ケーブルの保持構造。
【請求項３】
前記腕部が三個以上併設され、それぞれの前記腕部の間には、それぞれ前記突起部が形成され、それぞれの前記腕部の間に前記分岐光ファイバケーブルを挿入可能であることを特徴とする請求項１または請求項２に記載の分岐ケーブルの保持構造。
【請求項４】
前記分岐光ファイバケーブルは、断面が略円状であることを特徴とする請求項１から請求項３のいずれかに記載の分岐ケーブルの保持構造。
【請求項５】
光ファイバケーブルの分岐部に用いられる光ファイバクロージャであって、
本線の光ファイバケーブルを保持する本線保持部と、
分岐される分岐光ファイバケーブルを保持する分岐保持部と、
前記光ファイバケーブルの接続部を収納可能な光ファイバトレイと、
前記光ファイバトレイ、前記本線保持部および前記分岐保持部を覆うカバーと、
を具備し、
前記分岐保持部は、互いに略平行な少なくとも一対の腕部と、前記腕部の互いの対向方向に向かって形成される突起部とを有し、
前記突起部は、前記腕部の先端から前記腕部の基部方向に所定長さ形成され、
（Ｃ／２）＜Ｇ＜｛（（Ｃ／２）＾２）−（Ｄ／２−Ｈ）＾２｝＾（１／２）＋（Ｃ／２）
但し、Ｃ：分岐光ファイバケーブルの外径、Ｄ：腕部間隔、Ｇ：腕部基部から突起部下端までの高さ、Ｈ：腕部からの突起部の突出代
の関係を満たすことを特徴とする光ファイバクロージャ。
【発明の詳細な説明】
【技術分野】
【０００１】
本発明は、光ファイバケーブルの分岐部に用いられ、分岐ケーブルとの接続部等を収容して保護するために用いられる光ファイバ用の架空クロージャ等に関するものである。
【背景技術】
【０００２】
従来、光ファイバケーブルを架空にて分岐を行う場合には、光ファイバクロージャが用いられる。例えば、光ファイバクロージャ内で、本線光ファイバケーブルと分岐光ファイバケーブルの心線同士が引き出され、互いの端部同士が接続されて接続部が形成され、接続作業時に形成される光ファイバ心線の余長部および接続部が光ファイバクロージャ内の光ファイバトレイに収容され、カバー等で覆われて保護される。
【０００３】
このような光ファイバクロージャにおいては、光ファイバケーブルはケーブル把持金具によって把持される。例えば、特許文献１に示すように、上板と下板とで光ファイバケーブルを挟み込みねじ止めすることで、光ファイバケーブルを保持することができる。
【先行技術文献】
【特許文献】
【０００４】
【特許文献１】特開２００９−９８４６８号公報
【発明の概要】
【発明が解決しようとする課題】
【０００５】
しかし、従来のような光ファイバケーブルの保持方法は、ねじやボルトを用いるものであり、固定のための工具が必要であり、また、ボルトやネジを取り付けるための空間を設ける必要がある。また、上板や下板のような固定部材を用いるため、部品点数が増え、さらに、このような固定部材にねじやボルトの取付部を形成する必要があることから、小型化の障害となる。
【０００６】
一方、通常用いられる円断面形状の光ファイバケーブルについては、長手方向に対する保持力として数百Ｎ以上が必要であり、例えば平型ケーブルよりも高い保持力が必要である。このため、このような円断面光ファイバケーブルのケーブル保持部としては、前述したようなボルト等用いた保持手段が適用されてきた。しかし、一部の分岐光ファイバケーブルでは、長手方向に対する高い保持力が不要な場合がある。このような場合には、上述したような保持方法は、不必要な保持力を有するものである。
【０００７】
しかしながら、光ファイバケーブルには、長手方向の張力以外にも、曲げ方向の力が加わることもある。したがって、このような力に対しても、簡単に保持が外れてしまうことがなく、簡易で作業性にも優れ、小型な分岐光ファイバケーブルの保持構造が望まれる。
【０００８】
本発明は、このような問題に鑑みてなされたもので、簡易な構造で、作業性に優れ、コンパクトな分岐ケーブルの保持構造およびこれを用いた光ファイバクロージャ等を提供することを目的とする。
【課題を解決するための手段】
【０００９】
前述した目的を達成するため、第１の発明は、光ファイバケーブルの分岐部に用いられるクロージャにおける分岐ケーブルの保持構造であって、本線の光ファイバケーブルを保持する本線保持部と、分岐される分岐光ファイバケーブルを保持する分岐保持部と、前記光ファイバケーブルの接続部を収納可能な光ファイバトレイと、前記光ファイバトレイ、前記本線保持部および前記分岐保持部を覆うカバーと、を具備し、前記分岐保持部は、互いに略平行な少なくとも一対の腕部と、前記腕部の互いの対向方向に向かって形成される突起部とを有し、前記突起部は、前記腕部の先端から前記腕部の基部方向に所定長さ形成され、前記分岐光ファイバケーブルが、前記腕部の間に押し込まれており、前記一対の前記突起部の間隔は、前記分岐光ファイバケーブルの外径よりも小さく、かつ、前記分岐光ファイバケーブルの外径からシース厚の２倍の値を引いた前記分岐光ファイバケーブルの心線径よりも大きく、前記分岐光ファイバケーブルを前記腕部の基部まで完全に挿入した状態において、前記突起部の下部が前記分岐光ファイバケーブルのシースに食い込むことを特徴とする分岐ケーブルの保持構造である。
【００１０】
前記突起部は、前記腕部の先端に向かって対向する突起部同士の間隔が広がるようなテーパ形状であり、前記突起部の互いの対向方向の先端は、先端角度が３０〜６０°の先細り形状であることが望ましい。
【００１１】
前記腕部が三個以上併設され、それぞれの前記腕部の間には、それぞれ前記突起部が形成され、それぞれの前記腕部の間に前記分岐光ファイバケーブルを挿入可能であってもよい。前記分岐光ファイバケーブルは、断面が略円状であってもよい。
【００１２】
第１の発明によれば、分岐光ファイバケーブルが、分岐光ファイバケーブルの外径よりも小さな間隔の一対の突起部間に挿入されるため、突起部によって分岐光ファイバケーブルが挟み込まれて保持される。この際、腕部の先端側に設けられる突起部によって、分岐光ファイバケーブルの抜けが防止される。特に、腕部の基部から突起部下端までの長さが、分岐光ファイバケーブルの外径の１／２よりも長ければ、完全に腕部間に押し込まれた分岐光ファイバケーブルに対して、確実に抜けを防止することができる。また、分岐光ファイバケーブルを腕部間に完全に基部（腕部の最下端）まで挿入した状態で、突起部の下部が分岐光ファイバケーブルに食い込むため、分岐光ファイバケーブルの軸方向の移動を防止することができる。
【００１３】
このような、腕部および突起部による分岐光ファイバケーブルの保持は、断面が略円形状の分岐光ファイバケーブルに対して特に有効である。たとえば、分岐光ファイバケーブルに対し、腕部に平行な方向に力が加わるように曲げ力等を与えても、突起部によって分岐光ファイバケーブルの抜けが確実に防止される。また、腕部間へ押しこむ際には、分岐光ファイバケーブルが変形し、腕部間で確実に保持される。
【００１４】
また、突起部の先端が開口するようにテーパ形状を有すれば、分岐光ファイバケーブルを腕部間への挿入が容易である。
【００１５】
なお、腕部は、分岐光ファイバケーブルの挿入時に容易に変形せず、分岐光ファイバケーブルに対して十分な剛性を有する。すなわち、突起部間に突起部の間隔よりも外径の大きな分岐光ファイバケーブルを挿入しても、腕部はほとんど変形せずに、分岐光ファイバケーブルの外形が変形して（または突起部先端が分岐光ファイバケーブルのシースに食い込んで）挿入される。
【００１６】
第２の発明は、光ファイバケーブルの分岐部に用いられる光ファイバクロージャであって、本線の光ファイバケーブルを保持する本線保持部と、分岐される分岐光ファイバケーブルを保持する分岐保持部と、前記光ファイバケーブルの接続部を収納可能な光ファイバトレイと、前記光ファイバトレイ、前記本線保持部および前記分岐保持部を覆うカバーと、を具備し、前記分岐保持部は、互いに略平行な少なくとも一対の腕部と、前記腕部の互いの対向方向に向かって形成される突起部とを有し、前記突起部は、前記腕部の先端から前記腕部の基部方向に所定長さ形成され、
（Ｃ／２）＜Ｇ＜｛（（Ｃ／２）＾２）−（Ｄ／２−Ｈ）＾２｝＾（１／２）＋（Ｃ／２）
但し、Ｃ：分岐光ファイバケーブルの外径、Ｄ：腕部間隔、Ｇ：腕部基部から突起部突起部下端までの高さ、Ｈ：腕部からの突起部の突出代
の関係を満たすことを特徴とする光ファイバクロージャである。
【００１７】
第２の発明によれば、分岐光ファイバケーブルを容易に保持することができ、部品点数も少なく、小型化が可能な光ファイバクロージャを得ることができる。
【発明の効果】
【００１８】
本発明によれば、簡易な構造で、作業性に優れ、コンパクトな分岐ケーブルの保持構造およびこれを用いた光ファイバクロージャ等を提供することができる。
【図面の簡単な説明】
【００１９】
【図１】クロージャ１を示す図であり、（ａ）は正面図、（ｂ）は平面図。
【図２】分岐保持部１０を示す図で、（ａ）は図１（ｂ）のＡ部拡大図、（ｂ）は（ａ）のＢ−Ｂ矢視図。
【図３】（ａ）は分岐保持部１０への分岐ケーブル１３の保持状態を示す図、（ｂ）は（ａ）のＥ−Ｅ矢視図。
【図４】クロージャ３０を示す正面図。
【図５】ケーブル保持部３１を示す図であり、図４のＪ−Ｊ線断面図。
【図６】（ａ）は分岐保持部１０ａへの分岐ケーブル１３の保持状態を示す図、（ｂ）は（ａ）のＫ−Ｋ矢視図。
【発明を実施するための形態】
【００２０】
以下、本発明の実施の形態にかかるクロージャ１について説明する。図１は、光ファイバケーブルの接続部等に用いられる光ファイバ用のクロージャ１を示す図であり、図１（ａ）は正面図、（ｂ）は平面図である。なお、図１（ａ）においては、カバー３を透視した状態を示す図であり、図１（ｂ）では、カバー３、端面カバー５等を外した状態を示す図である。
【００２１】
クロージャ１は、主に光ファイバトレイ７、本線保持部９、分岐保持部１０、カバー３、端面カバー５等から構成される。なお、以下の説明においては、カバー３および端面カバー５を外した状態のものも、クロージャ１と称する。
【００２２】
クロージャ１は、光ファイバケーブルである本線ケーブル１１と分岐ケーブル１３との接続部等に用いられ、接続部を保護するためのものである。本線ケーブル１１は、クロージャ１の外部においては支持線１５によって支持される。支持線１５は、例えば鋼線である。
【００２３】
本線ケーブル１１等は一対の本線保持部９によって保持される。本線保持部９は、クロージャ１の両端部近傍にそれぞれ設けられる。なお、図に示すクロージャ１は、簡単のため、本線ケーブル１１および支持線１５を一つのケーブル保持部９によって保持する例を示すが、これらはそれぞれ別々のケーブル保持部によって保持されてもよい。
【００２４】
本線保持部９は、台座に対して押さえ部材をボルト等で固定することで、本線ケーブル１１を挟み込み、本線ケーブル１１を保持する。本線ケーブル１１は、本線保持部９により保持されるため、クロージャ１内部における光ファイバの接続部等に張力等が付与されることが防止される。
【００２５】
本線保持部９は、光ファイバトレイ７に固定される。すなわち、一対の本線保持部９が光ファイバトレイ７によって、クロージャ１の長手方向（光ファイバケーブルの敷設方向）に沿って連結される。
【００２６】
図１（ｂ）に示すように、光ファイバトレイ７は、本線ケーブル１１と分岐ケーブル１３との接続部１９と、余長部２１が収容される部位である。余長部２１は、接続部１９を形成する際に、光ファイバ同士の接続装置等までの取り回しや、切断作業その他の作業において必要とする光ファイバ１７の余分長さである。
【００２７】
光ファイバトレイ７の両端部近傍には、分岐保持部１０が設けられる。分岐保持部１０は、分岐ケーブル１３を保持する部位である。なお、分岐ケーブル１３は、略円断面形状を有する光ファイバケーブルである。分岐保持部１０については詳細を後述する。
【００２８】
ケーブル保持部である本線保持部９と分岐保持部１０、および光ファイバトレイ７は、カバー３によって覆われる。なお、支持線１５は、カバー３の外部に配置してもよい。この場合、支持線１５の保持部が本線保持部９等に連結されてカバー３外部に形成されれば良い。すなわち、本発明における本線保護部９としては、少なくとも本線ケーブル１１が保持されればよい。カバー３は、例えば開閉可能な樹脂部材であり、閉じた状態では本線保持部９、分岐保持部１０、光ファイバトレイ７を覆うように固定されるが、カバー３を開くと、取り外すことが可能である。すなわち、クロージャ１内部での接続作業等においては、カバー３は取り外される。
【００２９】
クロージャ１の両端面には、端面カバー５がそれぞれ設けられる。端面カバー５は、カバー３の両端面を封止するためのものである。なお、端面カバー５には、各ケーブルが貫通するための孔が形成される。
【００３０】
図に示す例では、本線ケーブル１１から光ファイバ１７が取り出され、分岐ケーブル１３の光ファイバ１７と接続されて接続部１９が形成される。この際、分岐ケーブル１３は、前述の通り、分岐保持部１０によって保持される。
【００３１】
図２（ａ）は、図１（ｂ）のＡ部拡大図であり、分岐保持部１０を示す図である。また、図２（ｂ）は図２（ａ）のＢ−Ｂ矢視図である。分岐保持部１０は主に、少なくとも一対の（図では４つの）腕部２３と、互いの腕部２３間の内面（対向面）に形成され、互いに対向する方向に向かって突出する突起部２５とから構成される。
【００３２】
腕部２３は、板状であり、分岐保持部１０の台座部に、互いの板面同士が対向するように立設する。なお、腕部２３を光ファイバトレイ７に直接設けてもよい。腕部２３は互いに板面同士が平行になるように設けられ、この際、腕部２３の幅方向がケーブルの敷設方向に対応する。
【００３３】
腕部２３の先端部近傍であって、幅方向の一部（略中央）には突起部２５が形成される。突起部２５は、互いに対向する方向に先細り形状（先端が刃状（鋭利））に形成され、敷設される分岐ケーブル１３の敷設方向に対して略垂直な方向に突出する。一対の隣り合う腕部２３の間に分岐ケーブル１３を押しこむと、突起部２５は分岐ケーブル１３のシースに対して食い込むように分岐ケーブル１３を保持する。
【００３４】
図３（ａ）は、腕部２３と突起部２５の詳細を示す図である。突起部２５は、腕部２３の端部（図中上端部）から所定の範囲にのみ形成される。すなわち、腕部２３の基部（図中腕部下端）から突起部２５の端部（下端）まで距離Ｇだけ、突起部２５が形成されない範囲が存在する。ここで、腕部２３同士の間隔（図中長さＤ）は、挿入される分岐ケーブル１３の外径Ｃよりもやや広い。また、突起部２５間の距離（Ｄ−２Ｈ）は、分岐ケーブル１３の外径Ｃよりもやや狭い。すなわちＤ＞Ｃ＞（Ｄ−２Ｈ）となる。したがって、分岐ケーブル１３は、突起部２５間に挿入されると、やや変形して（または突起部２５先端がケーブルのシースに食い込むように）挿入される。この際、突起部２５の上方（分岐ケーブル１３の挿入側）には、挿入側端部に行くにつれて徐々に対向する突起部２５同士の間隔が広がるように（開口するように）形成されたテーパ形状が設けられる。このため、分岐ケーブル１３の挿入性に優れる。
【００３５】
腕部２３の長さ（高さ）（図中長さＦ）は、分岐ケーブル１３の外径Ｃよりも長いため、分岐ケーブル１３は、腕部２３間に完全に押し込まれる。この際、突起部２５は、腕部２３の上端から所定範囲（図中Ｆ−Ｇ）の範囲に形成される。腕部２３の基部から突起部２５の下端までの長さＧは、分岐ケーブル１３の外径の１／２よりも長い。すなわち、突起部２５までの長さＧは、分岐ケーブル１３の半径よりも大きい。
【００３６】
なお、分岐ケーブル１３の挿入時に、内部の光ファイバ心線等を傷つけることを避けるため、たとえば、シース厚をｔとすると、ケーブルの心線径は（Ｃ−２ｔ）となるが、突起部２５間の距離（Ｄ−２Ｈ）＞（Ｃ−２ｔ）とすることが望ましい。また、分岐ケーブル１３が押し込まれた状態において、突起部２５の下部が分岐ケーブル１３のシースに食い込んだ状態であれば、分岐ケーブル１３の軸方向への力に対して、より大きな保持力を得ることができる。このため、突起部２５の下端までの長さＧは、分岐ケーブル１３の半径よりも大きく、かつ、分岐ケーブル１３を腕部基部まで完全に挿入した状態においても、突起部２５の突出長さＨとの関係で、分岐ケーブル１３の外被に接触する（食い込む）ように設定することが望ましい。すなわち、（Ｃ／２）＜Ｇ＜｛（（Ｃ／２）＾２）−（Ｄ／２−Ｈ）＾２｝＾（１／２）＋（Ｃ／２）である。
【００３７】
このような関係となるような分岐保持部１０としては、例えば、９ｍｍφ（シース厚ｔは１．５ｍｍ）の分岐ケーブルを用いた場合には、腕部間隔Ｄは１０ｍｍ程度であり、この際の突起部の突出長さＨは２ｍｍ程度である。また、この場合に、突起高さＧは、５ｍｍ程度であり、腕部高さＦは１１ｍｍ程度である。なお、ケーブルの押し込み力とケーブルの抜け止め効果を考慮すると、突起部２５の間隔は、ケーブル径に対して２ｍｍ（片側１ｍｍ）程度小さいことが望ましい。突起部間隔がケーブル径に対して狭すぎると、ケーブルの押し込み力が強くなりすぎ、突起部間隔がケーブル径に対して広すぎると、ケーブルの受け止め効果が小さくなるためである。この場合、上式においてＣ＝Ｄ−２Ｈ＋２ｍｍと設定すればよい。
【００３８】
図３（ｂ）は図３（ａ）のＥ−Ｅ方向矢視図である。突起部２５は、腕部２３の略中央にのみ形成される。すなわち、突起部２５の幅は、腕部２３に対して十分に狭い。突起部２５の幅（ケーブル敷設方向に対する長さ）は、適宜設定されるが、突起部の先端（腕部に対する突出方向先端）が分岐ケーブルのシース部に食い込むように刃状にとがっている（先細り形状）ことが望ましい。なお、先細り形状である突起部の先端角度は、３０〜６０°程度が望ましい。３０°未満では、ケーブルを挿入する際、またはケーブル挿入後にケーブルに張力等が付与された際に、突起部が破損する恐れがあり、また、６０°を超えると、ケーブルへの突起部の食い込みが弱くなり、ケーブルの保持力が低下するためである。さらに望ましくは、先端角度が４０〜４５°程度である。突起部先端の角度が決まれば、突起部の突出長さＨと先端角度によって、突起部の幅（図中Ｉ）が決定される。例えば、先端角度４０°、でＨが２ｍｍであれば、突起部の幅Ｉは１．４〜１．５ｍｍ程度となる。
【００３９】
以上説明したように、第１の実施の形態によれば、分岐保持部１０は、腕部２３および突起部２５によって構成されるため、極めて簡易な構造で、分岐ケーブル１３を保持することができる。なお、分岐ケーブル１３を腕部２３間に押し込むと、分岐ケーブル１３の外周部に突起部２５が食い込むため、分岐ケーブル１３に要求される必要な保持力を確保することができ、過剰な保持力は生じない。
【００４０】
また、突起部２５の挿入部側にテーパ形状が形成されるため、分岐ケーブル１３の挿入が容易である。また、突起部２５は、腕部２３の基部から所定範囲には形成されず、突起部２５の下端（分岐ケーブル挿入側と逆側の端部）から腕部２３基部までの長さが分岐ケーブル１３の半径よりも長いため、分岐ケーブル１３を腕部２３間に完全に挿入した際に（分岐ケーブル１３が腕部２３の基部まで挿入された際に）突起部２５によって分岐ケーブル１３の抜けが確実に防止される。すなわち、分岐ケーブル１３に、腕部２３から抜けるように曲げ力が加わった場合でも、分岐ケーブル１３が腕部２３から抜けることがない。
【００４１】
特に、腕部２３を３個以上形成し、それぞれの腕部間に分岐ケーブル１３を複数保持させることで、少なくとも中間に位置する腕部２３の変形（腕部先端側の腕部間距離Ｄが離れる方向の変形）が抑制されるため、より確実に分岐ケーブル１３の抜けを防止できる。なお、腕部２３の剛性が、分岐ケーブル１３挿入時の変形量（Ｃ＞Ｄー２Ｈによる変形）における復元力に対して十分に大きければ、腕部２３が開くように変形することがない。
【００４２】
次に、第２の実施の形態について説明する。図４は第２の実施の形態にかかるクロージャ３０を示す正面図である。なお、以下の実施形態において、クロージャ１と同様の機能を奏する構成については、図１等と同様の符号を付し、重複した説明を省略する。
【００４３】
クロージャ３０は、ケーブル保持部３１が形成される点でクロージャ１と異なる。ケーブル保持部３１は、本線ケーブル１１および分岐ケーブル１３を一体で保持するものであり、図１における本線保持部９および分岐保持部１０が一体で形成されたものである。なお、本実施の形態において、支持線１５も一体で保持する例を示したが、支持線１５については、クロージャ３０の外部において、他の保持部等により保持されてもよい。一対のケーブル保持部３１は、光ファイバトレイ７の両端部近傍にそれぞれ固定される。
【００４４】
図５は、ケーブル保持部３１を示す図で、図４のＪ−Ｊ線断面図である。ケーブル保持部３１は、台座３３および押さえ部材３５等から構成される。台座３３には、支持線１５を保持する支持線保持部３９、本線ケーブル１１を保持する本線保持部４１、分岐ケーブル１３を保持する分岐保持部４３が形成される。
【００４５】
支持線保持部３９には、支持線１５の外径に対してやや大きな曲率半径を有する凹部が設けられる。同様に、本線保持部４１には、本線ケーブルの外径に対してやや大きな曲率半径を有する凹部が形成される。
【００４６】
支持線１５および本線ケーブル１１をそれぞれ、支持線保持部３９および本線保持部４１に配置した状態で、押さえ部材３５をボルト３７で固定する。すなわち、押さえ部材３５と台座３３とで支持線１５および本線ケーブル１１をそれぞれ挟み込むことで、支持線１５および本線ケーブル１１が保持される。
【００４７】
支持線保持部３９、本線保持部４１の下方には、分岐保持部４３が形成される。分岐保持部４３は、前述した分岐保持部１０と略同様の構成である。分岐保持部４３には、複数の腕部２３（図の例では３本）および突起部２５が形成され、分岐ケーブル１３が縦に並ぶように保持される。すなわち、図に示す例では、支持線１５、本線ケーブル１１、分岐ケーブル１３が略一直線に並ぶように保持される。
【００４８】
分岐ケーブル１３は、本線ケーブル１１や支持線１５のように、ケーブル軸方向に対する強い保持力が不要であるため、押さえ部材３５で押さえる必要がない。このため、作業性に優れ、分岐ケーブルの増設時に、押さえ部材３５を外す必要もない。
【００４９】
第２の実施の形態によれば、第１の実施の形態と同様の効果を得ることができる。また、分岐ケーブル１３の保持が容易であり、本線保持部４１等と一体であるため、極めて小型な保持部を形成することができる。
【００５０】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００５１】
たとえば、腕部２３の形態は、前述した例に限られない。図６は分岐保持部１０ａを示す図であり、図６（ａ）は平面図、図６（ｂ）は図６（ａ）のＫ−Ｋ線矢視図である。腕部２３は、ケーブル敷設方向に所定幅を有する板状部材である必要はなく、図６に示すように、突起部２５の形成範囲にのみ形成されてもよい。すなわち、腕部２３の剛性が十分であれば、腕部２３は板状部材である必要はない。また、逆に腕部２３の変形（分岐ケーブル１３挿入時に、腕部間隔が広がるような変形）をより抑制するためには、分岐ケーブル１３の敷設方向に垂直な方向に対する腕部２３の長さ（厚み）を大きくすれば、腕部２３の変形をより抑えることができる。
【符号の説明】
【００５２】
１、３０………クロージャ
３………カバー
５………端面カバー
７………光ファイバトレイ
９………本線保持部
１０、１０ａ………分岐保持部
１１………本線ケーブル
１３………分岐ケーブル
１５………支持線
１７………光ファイバ
１９………接続部
２１………余長部
２３………腕部
２５………突起部
３１………ケーブル保持部
３３………台座
３５………押さえ部材
３７………ボルト
３９………支持線保持部
４１………本線保持部
４３………分岐保持部
【図１】
0005400730.tif 000002
【図２】
0005400730.tif 000003
【図３】
0005400730.tif 000004
【図４】
0005400730.tif 000005
【図５】
0005400730.tif 000006
【図６】
0005400730.tif 000007